(57)【要約】【課題】再生にかかる時間が所要時間内収まらない映画などの長時間のコンテンツであっても、利用者は所望のコンテンツを満足して視聴することができる情報提供装置の提供。【解決手段】コンテンツ情報の提供時間を入力できる入力手段と、所望のコンテンツ情報を選択する選択手段と、選択されたコンテンツ情報を所定の単位ごとに分割して、記提供時間に応じて分割されたコンテンツ情報を編集するコンテンツ編集手段と、コンテンツ編集手段で編集されたコンテンツ情報を出力する出力手段を備えた構成により、目的地に到着するまでの所要時間あるいは提供を受けたい所望時間に合わせて選択されたコンテンツを適切なシーンまで満足して再生することができるという作用・動作を有する。【選択図】図１
2005252519.tif 000002
【特許請求の範囲】
【請求項１】
コンテンツ情報の提供時間を入力できる入力手段と、所望の前記コンテンツ情報を選択する選択手段と、前記選択されたコンテンツ情報を所定の単位ごとに分割して、前記提供時間に応じて前記分割されたコンテンツ情報を編集するコンテンツ編集手段と、前記コンテンツ編集手段で編集されたコンテンツ情報を出力する出力手段とを備えたことを特徴とする情報提供装置。
【請求項２】
前記入力手段が、移動体の目的地を入力する目的地入力手段と、前記移動体の現在位置と前記入力された目的地情報から前記移動体が前記目的地まで移動するのに要する時間を算出する算出手段とからなることを特徴とする請求項１に記載の情報提供装置。
【請求項３】
前記コンテンツ編集手段が、前記コンテンツを前記コンテンツの内容が変化するシーンに応じて分割することを特徴とする請求項１に記載の情報提供装置。
【請求項４】
前記算出手段により算出した時間と前記移動体が実際に移動する移動時間との差を監視する監視手段を有し、前記コンテンツ編集手段は、前記監視手段により監視した前記差に応じて前記コンテンツ情報を編集することを特徴とする請求項１から請求項３までのうちのいずれかに記載の情報提供装置。
【請求項５】
前記コンテンツ情報の出力が終了した前記所定の単位を記憶しておく記憶手段を有し、前記コンテンツ編集手段は、前記記憶手段に記憶された所定の単位の次の所定の単位から情報を提供することを特徴とする請求項１から請求項３までのうちのいずれかに記載の情報提供装置。
【請求項６】
前記目的地入力手段に、前記移動体が最終目的地までに経由する経由地が入力され、前記算出手段が、前記移動体の現在位置と前記入力された経由地情報から前記移動体が前記経由地まで移動するのに要する時間を算出することを特徴とする請求項２から請求項３までのうちのいずれかに記載の情報提供装置。
【発明の詳細な説明】
【技術分野】
【０００１】
本発明は、カーオーディオシステムやカーナビゲーション装置などの情報提供装置に関するものである。
【背景技術】
【０００２】
従来の車載用の情報提供装置としては特許文献１、２に記載されたものが知られている。
【０００３】
特許文献１に記載された従来の車載情報提供装置は、ＤＶＤなどのコンテンツ情報を再生するに際して、入力された目的地に応じて目的地に到着するまでの移動体の移動中に出力すべきコンテンツ情報を選択し、移動中に選択されたコンテンツ情報を出力するものであって、入力された目的地に関連するキーワードの関連の度合いに基づいてコンテンツ情報を選択したり、目的地までの時間に応じてコンテンツ情報を選択したり、また移動体の移動の変化に応じてコンテンツ情報の選択をして、移動体の走行状況に相応しいコンテンツ情報を提供するものである。
【０００４】
また、特許文献２に記載された従来の装置は、移動体に搭載される映像再生装置であって、移動体の目的地までの時間を計算し、映像信号にある既存の各チャプターの時間から判断して、目的地への到着時までに再生完了するチャプターを選択して再生し、また、到着までに全編が完了するように再生できるチャプターを自動選択して再生し、また、走行途中で渋滞などにより到着時間に変化があってもそれを自動的に計算して、逐次再生できるチャプターを選択して再生するものである。
【特許文献１】特開２００２−３６５０６２号公報
【特許文献２】特開２００２−３４４８９６号公報
【発明の開示】
【発明が解決しようとする課題】
【０００５】
しかしながら、特許文献１に記載の車載情報提供装置においては、映画などの長時間のコンテンツでは、再生にかかる時間が目的地までの所要時間内に収まらない場合が発生する。その場合に、倍速再生や間引き再生などによりコンテンツを提供しても、利用者は所望のコンテンツを快適に視聴することができないという問題があった。
【０００６】
また、特許文献２に記載された映像再生装置では、映像信号の予め定められた各チャプターの時間に基づいて選択して再生しているので、それほど細かな時間調整はできず、やはり利用者は所望のコンテンツを快適に受信できないという問題があった。
【０００７】
本発明は、上記従来の問題を解決するためになされたもので、長時間のコンテンツ情報であっても、また短い時間のコンテンツ情報であっても、例えばまとまった所定のシーン単位でコンテンツ情報を提供することのできる情報提供装置を提供することを目的とする。
【課題を解決するための手段】
【０００８】
本発明の情報提供装置は、コンテンツ情報の提供時間を入力できる入力手段と、所望のコンテンツ情報を選択する選択手段と、選択されたコンテンツ情報を所定の単位ごとに分割して、提供時間に応じて分割されたコンテンツ情報を編集するコンテンツ編集手段と、コンテンツ編集手段で編集されたコンテンツ情報を出力する出力手段とから構成される。
【０００９】
この構成により、所定の単位ごとに分割されたコンテンツ情報が提供時間内に提供される。
【００１０】
また、本発明の情報提供装置は、入力手段が、移動体の目的地を入力する目的地入力手段と、移動体の現在位置と入力された目的地情報から移動体が目的地まで移動するのに要する時間を算出する算出手段とから構成される。
【００１１】
この構成により、移動体が目的地を到着するまでに所定の単位ごとに分割されたコンテンツ情報が提供される。
【００１２】
また、本発明の情報提供装置は、コンテンツ編集手段が、コンテンツをコンテンツの内容が変化するシーンに応じて分割するように構成される。
【００１３】
この構成により、提供時間内に再生が完了するシーンが出力される。
【００１４】
また、本発明の情報提供装置は、算出手段により算出した時間と移動体が実際に移動する移動時間との差を監視する監視手段を有し、コンテンツ編集手段は、監視手段により監視した差に応じてコンテンツ情報を編集するように構成される。
【００１５】
この構成により、目的地に到着するまでの所要時間の変化に応じて、再生可能なコンテンツの単位を出力することができる。
【００１６】
さらに、本発明の情報提供装置は、コンテンツ情報の出力が終了した所定の単位を記憶しておく記憶手段を有し、コンテンツ編集手段は、記憶手段に記憶された所定の単位の次の所定の単位から情報を提供する構成を有している。
【００１７】
この構成により前回までに再生が最後まで完了しなかったコンテンツ情報について、次回、その続きの分を考慮して、新たに選択されたコンテンツの再生可能な単位を求める。
【００１８】
さらに、本発明の情報提供装置は、目的地入力手段に、移動体が最終目的地までに経由する経由地が入力され、算出手段が、移動体の現在位置と入力された経由地情報から移動体が経由地まで移動するのに要する時間を算出する構成をそなえている。
【００１９】
この構成により、最終目的地に到着する途中の経由地間の所要時間に合わせて、選択されたコンテンツを再生可能な単位まで再生することができる。
【発明の効果】
【００２０】
本発明は、コンテンツ情報の提供時間を入力できる入力手段と、所望の前記コンテンツ情報を選択する選択手段と、選択されたコンテンツ情報を所定の単位ごとに分割して、提供時間に応じて分割されたコンテンツ情報を編集するコンテンツ編集手段と、コンテンツ編集手段で編集されたコンテンツ情報を出力する出力手段とを備えているので、必要な提供時間に合わせて、利用者は、選択されたコンテンツ情報を適切な単位まで快適に不愉快なく再生することができるという効果を奏する。
【発明を実施するための最良の形態】
【００２１】
以下、本発明の実施の形態について、図面を参照しながら説明する。
【００２２】
（実施の形態１）
図１は、本発明の実施の形態１における車載情報提供装置のブロック図である。
【００２３】
図１において、入力部１０１は、リモコン、マイク、タッチパネル、キーボードなどを用いて、住所、電話番号または具体的な名称や地点を特定することにより目的地を入力することが可能である。選択部１０２は、リモコン、マイク、タッチパネル、キーボードなどを用いて、移動体の移動中に視聴したいコンテンツ情報を選択することが可能である。算出部１０３は、ＧＰＳ（Ｇｌｏｂａｌ  Ｐｏｓｉｔｉｏｎｉｎｇ  Ｓｙｓｔｅｍ）受信機、自立航法測位装置などを用いて測位された移動体の現在位置から、上記入力部１０１により入力された目的地の緯度、経度までの所要時間を計算する。出力制御部１０４は、算出部１０３により計算した現在位置から目的地までの所要時間に基づいて、選択部１０２により選択されたコンテンツ情報のどのシーンまでを出力するのかを決定し、出力部１０５を制御する。出力部１０５は、出力制御部１０４の制御に従ってコンテンツ情報を出力する。
【００２４】
コンテンツ編集部１０６は、予め各コンテンツ情報を図２に示すようにシーン毎に分割してコンテンツ情報データベース１０７として保持しており、選択部１０２により選択されたコンテンツ情報をコンテンツ情報データベース１０７から呼び出し、出力制御部１０４へ送る。図２には、総再生時間が１４２分のコンテンツＡがｎ分割された場合と、総再生時間が１１６分のコンテンツＢがｎ分割された場合とを示している。シーンの分割方法に関しては、特開平１０−２９４９２３号公報や特開平９−２１４８７９号公報に記載されている方法が利用できる。
【００２５】
記憶部１０８は、目的地到着時にコンテンツ情報の再生が完了したシーンの位置を記憶しておく。
【００２６】
なお、本実施の形態では、車載用の情報提供装置であるので、入力部１０１に目的地を入力し、演算部１０３で目的地までの所要時間を算出したが、車載用でない装置の場合は、コンテンツ情報の提供を受けたい時間を直接入力しても良い。この場合は、出力制御部１０４は、入力部１０１に直接入力された時間内に、選択部１０２で選択されコンテンツ編集部１０６で分割されたコンテンツ情報のどのシーンまで再生できるかを決定する。
【００２７】
以上のように構成された本実施の形態の車載情報提供装置について、その動作を図３に示すフローチャートを用いて説明する。
【００２８】
まず、入力部１０１により、利用者から任意の目的地Ａが入力される（Ｓ２０１）。次に、移動体の現在位置を測位し、移動体が測位された現在位置から入力された目的地まで移動するのにかかる所要時間を算出部１０３で算出する（Ｓ２０２）。
【００２９】
次に、前回までに再生途中のコンテンツ情報が記憶部１０８に記憶されているかを調べる（Ｓ２０３）。もし、記憶部１０８に再生途中のコンテンツ情報が記憶されている場合は、自動的にそのコンテンツを選択し、前回までに再生が完了しているシーンの次のシーンを再生開始位置として、出力制御部１０４へ出力する（Ｓ２０４）。
【００３０】
次に、選択部１０２において、利用者は移動中に視聴したい任意のコンテンツを特定する（Ｓ２０５）。選択部１０２によりコンテンツＡが選択して特定されると、出力制御部１０４は、現在位置から目的地まで移動するのにかかる所要時間と選択されたコンテンツＡの再生時間とを比較し、所要時間内にコンテンツＡの再生が完了するかどうか計算し（Ｓ２０６）、再生完了するかどうかを判断する（Ｓ２０７）。
【００３１】
ところで、もし、記憶部１０８に再生途中のコンテンツ情報が記憶されており、選択部１０２において、さらにコンテンツ情報が選択された場合は、２つのコンテンツ情報が所要時間内に再生可能なシーンがどこまでかを検出する。本実施の形態では、記憶部１０８
に何もコンテンツ情報が記憶されていない場合を想定し、上記のように選択部１０２によりコンテンツＡが選択されたとして説明を続ける。
【００３２】
次に、コンテンツＡの再生時間のほうが目的地までの所要時間より短い場合は、移動体が目的地に到着するまでにコンテンツＡを最後まで再生できると判断して、コンテンツＡを最後まで再生するように出力部１０５へ命令を送る。出力部１０５は、出力制御部１０４からの命令に従ってコンテンツＡを最後まで再生する（Ｓ２０８）。
【００３３】
一方、コンテンツＡの再生時間のほうが目的地までの所要時間より長い場合は、移動体が目的地に到着するまでにコンテンツＡを最後まで再生できないと判断して、コンテンツＡの細分化されたシーンのうちどこまで再生可能かを計算し、求めたシーンまで再生するように出力部１０５へ命令を送る（Ｓ２０９）。そして、出力部１０５は、出力制御部１０４からの命令に従ってコンテンツＡの指定されたシーンまでを再生する（Ｓ２１０）。
【００３４】
例えば、算出部１０３において、現在位置から目的地までの所要時間が１３５分と計算され、選択部１０２により選択されたコンテンツＡの再生時間が図２に示すように１４２分であった場合、移動体が目的地に到着するまでにコンテンツＡを最後まで再生できないと判断される。そこで、所要時間１３５分の間に再生が完了するようにコンテンツＡの細分化されたシーンのうちシーンｎ−１までの１３３分３９秒を再生するように出力部１０５に命令を送る。
【００３５】
かかる構成によれば、目的地に到着するまでに要する所要時間内に再生が完了するシーンまでを出力することにより、目的地に到着するまでの所要時間に合わせて、選択されたコンテンツを再生可能なシーンまで再生することができることとなり、目的地の到着時に視聴していたコンテンツ情報をある一連のシーンの途中で停止するのではなく、シーン間の区切りの位置でコンテンツ情報の視聴を中断することができる。しかも、シーンの分割を利用者の好みに応じて分割するようにすれば、さらに利用者の満足できるシーン間で再生を中断することができる。
【００３６】
なお、本実施の形態において、移動体の移動中に視聴したいコンテンツ情報を選択することを可能とする手段として選択部１０２を設け、コンテンツ情報の再生が終了したシーンを記憶しておく手段として記憶部１０８を設け、前回途中まで再生したコンテンツ情報がある場合に、自動でそのコンテンツを選択し、前回までに再生が完了したシーンの次のシーンから再生するようにしたが、ディスプレイ等にその情報を表示し、利用者に選択させるようにしても良い。
【００３７】
（実施の形態２）
図４は、本発明の実施の形態２における車載情報提供装置のブロック図である。
【００３８】
図４において、図１と同じ構成要素については同じ符号を用い、説明を省略する。
【００３９】
図４において、監視部１０９は、コンテンツ情報の再生中において、移動体の移動が予定の到着時刻と比較してどの程度誤差があるのか定期的に監視する。出力制御部１０４は、監視部１０９より受け取った到着時刻の誤差に基づいて、再生中のコンテンツ情報のどのシーンまでを出力するのかを再調整し、出力部１０５を制御する。
【００４０】
以上のように構成された車載情報提供装置について、その動作を図５に示すフローチャートを用いて説明する。図５において、図３と同じステップについては同じ符号を用い、説明を省略する。
【００４１】
まず、Ｓ２０８またはＳ２１０において出力部１０５によりコンテンツが出力された後、一定の時間が経過したかどうかを判定する（Ｓ２１１）。時間が経過した場合、算出部１０３により目的地までの所要時間を再計算し、新たに到着予想時刻を求める（Ｓ２１２）。本実施の形態では、一定の時間を１５分として、１５分毎に到着予想時刻を再計算し、監視部１０９において、１５分前に算出した到着予想時刻との誤差を求める（Ｓ２１３）。
【００４２】
出力制御部１０４は、監視部１０９により求めた誤差に基づいて、もし１５分前の到着予想時刻より早い場合は、再生中のコンテンツ情報において、いくつ前のシーンまでが再生可能かを求める。もし１５分前の到着予想時刻より遅い場合は、再生中のコンテンツ情報において、いくつ後のシーンまで再生可能かを求める（Ｓ２０９）。
【００４３】
例えば、実施の形態１と同様に、目的地までの所要時間１３５分の間にコンテンツＡの細分化されたシーンのうちシーンｎ−１までの１３３分３９秒を再生しているとする。出発から１５分後に目的地の到着予想時刻を計算し、８分遅れの誤差が算出された場合、目的地までの所要時間は一つ前に求めた１３５分から１４３分となり、コンテンツＡはシーンｎまで、つまり最後までの１４２分間を所要時間内に再生することが可能と判断される。
【００４４】
一方、１０分早いという誤差が算出された場合、目的地までの所要時間は一つ前に求めた１３５分から１２５分となり、コンテンツＡはシーンｎ−２までの１１２分１７秒間しか所要時間内に再生することができないと判断される。このように、１５分経過毎に一つ前に求めた到着予想時刻との誤差を算出し、選択された再生中のコンテンツのうちどのシーンまでが再生可能かを再計算する。
【００４５】
かかる構成によれば、予定との誤差に応じて選択されたコンテンツ情報のうち所要時間内に出力可能なシーンに変更を加えることにより、目的地に到着するまでの所要時間の変化に応じて、コンテンツの再生可能なシーンを変更することができることとなり、渋滞などにより所要時間に狂いが生じても、目的地の到着時に、シーン間の区切りの位置でコンテンツ情報の視聴を中断することができる。
【００４６】
なお、本実施の形態において、移動体が目的地に到着するまで移動している間、定期的に予定時刻との誤差を検出するようにしたが、誤差を検出する時間間隔を利用者が指定できるようにしても良いし、目的地までの経路上に渋滞情報を検出した場合や再生中のコンテンツ情報のシーンが切り替わる場合、及びそれらの条件を組み合わせて、予定の到着時刻との誤差を算出するようにしても良い。
【００４７】
（実施の形態３）
本発明の実施の形態３における車載情報提供装置のブロック図は、本発明の実施の形態２を示す図４と同様であるので、図４を用いて本実施の形態３を説明する。
【００４８】
図４において、入力部１０１は、目的地に加えて、目的地までの移動中に経由する経由地を入力できる。算出部１０３は、目的地までの移動にかかる所要時間に加えて、経由地間の所要時間も算出する。出力制御部１０４は、算出部１０３により算出された目的地までの所要時間と経由地間の所要時間のいずれの所要時間内に対しても再生可能なシーンを出力するように出力部１０５を制御する。
【００４９】
以上のように構成された本実施の形態３における車載情報提供装置について、その動作を図６に示すフローチャートを用いて説明する。図６において、図５と同じステップについては同じ符号を用い、説明を省略する。
【００５０】
まず、入力部１０１により、目的地Ａに加え経由地Ｂを入力する（Ｓ２０１’）。次に、算出部１０３において、移動体の現在位置を測位し、移動体が測位された現在位置から入力された目的地Ａまでの所要時間と経由地Ｂまでの所要時間を算出する（Ｓ２０２’）。また、前回までに再生途中のコンテンツ情報が記憶部１０８に記憶されているかを調べる（Ｓ２０３）。ここでは、記憶部１０８に何もコンテンツ情報が記憶されていない場合を想定し、選択部１０２によりコンテンツＡが選択されたとする（Ｓ２０５）。
【００５１】
ここで、出力制御部１０４は、現在位置から最初の経由地まで移動するのにかかる所要時間と選択されたコンテンツＡの再生時間とを計算して比較し（Ｓ２０６’）、所要時間内にコンテンツＡの再生が完了するかどうか判断する（Ｓ２０７）。コンテンツＡの再生時間のほうが最初の経由地までの所要時間より短い場合は、移動体が最初の経由地に到着するまでにコンテンツＡを最後まで再生できると判断して、コンテンツＡを最後まで再生するように出力部１０５へ命令を送る。出力部１０５は、出力制御部１０４からの命令に従ってコンテンツＡを最後まで再生する（Ｓ２０８）。
【００５２】
一方、コンテンツＡの再生時間のほうが最初の経由地までの所要時間より長い場合は、移動体が最初の経由地に到着するまでにコンテンツＡを最後まで再生できないと判断して、各経由地と目的地に到着するまでの移動中にコンテンツＡの細分化されたシーンのうちどこまで再生可能かを計算し、求めたシーンまで再生するように出力部１０５へ命令を送る（Ｓ２０９’）。そして、出力部１０５は、出力制御部１０４からの命令に従ってコンテンツＡの指定されたシーンまでを再生する（Ｓ２１０）。
【００５３】
例えば、算出部１０３において、現在位置から最初の経由地１までの所要時間が３０分と計算され、選択部１０２により選択されたコンテンツＡの再生時間が図２に示すように１４２分であった場合、移動体が最初の経由地１に到着するまでにコンテンツＡを最後まで再生できないと判断される。そこで、図７に示すように、最初の経由地１までの所要時間である３０分の間に再生が完了するように、コンテンツＡの細分化されたシーンのうちシーン１からシーン２までの２２分３９秒を再生するようにし、次に経由地１から経由地２までの所要時間２０分の間にシーン３の１８分５２秒を再生するようにする。同様に、経由地ｎまでに再生可能なシーンを求めていった結果、シーンｎ−２まで再生するように求めたとすると、最後の経由地ｎから目的地までの所要時間２５分の間にシーンｎ−１の２１分２２秒を再生するように計算する。以上の命令を出力部１０５に送る。
【００５４】
かかる構成によれば、経由地間の所要時間内に再生可能なシーンを出力するように出力部１０５を制御することにより、目的地に到着する途中の経由地間の所要時間に合わせて、選択されたコンテンツを再生可能なシーンまで再生することができることとなり、経由地の到着時に、視聴していたコンテンツ情報をある一連のシーンの途中で停止するのではなく、シーン間の区切りの位置でコンテンツ情報の視聴を中断することができる。
【００５５】
なお、本実施の形態において、目的地に到着するまでの移動中に一つのコンテンツを出力するようにしたが、複数のコンテンツを出力するようにしても良い。
【００５６】
また、以上の実施の形態では、コンテンツ情報を細分化するのに、シーンで分割したが、シーン以外でもまとまりのある単位で細分化ですることは可能である。
【００５７】
また、以上の各実施の形態では、コンテンツ情報が映像情報について説明したが、本発明は、これに限らず、音声情報のコンテンツ情報にも適用できる。コンテンツ情報が音声情報の場合には、分割する際には音楽情報のサビの部分や盛り上がりの部分などの単位で細分化すれば、所要時間内で満足のできる再生情報を売ることができる。
【産業上の利用可能性】
【００５８】
本発明にかかる情報提供装置は、目的地に到着するまでの所要時間、あるいは情報の提供を受けたい所要時間に合わせて、選択されたコンテンツを適切なシーンまで再生することができる機能を有し、車載端末や携帯端末などの情報提供装置として有用である。
【図面の簡単な説明】
【００５９】
【図１】本発明の実施の形態１における車載情報提供装置のブロック図
【図２】本発明の実施の形態１で用いられるコンテンツ情報を示す概念図
【図３】本発明の実施の形態１における車載情報提供装置の動作説明のためのフローチャート
【図４】本発明の実施の形態２における車載情報提供装置のブロック図
【図５】本発明の実施の形態２における車載情報提供装置の動作説明のためのフローチャート
【図６】本発明の実施の形態３における車載情報提供装置の動作説明のためのフローチャート
【図７】本発明の実施の形態３で用いられるコンテンツ情報を示す概念図
【符号の説明】
【００６０】
１０１  入力部
１０２  選択部
１０３  算出部
１０４  出力制御部
１０５  出力部
１０６  コンテンツ編集部
１０７  コンテンツ情報データベース
１０８  記憶部
１０９  監視部
【図１】
2005252519.tif 000003
【図２】
2005252519.tif 000004
【図３】
2005252519.tif 000005
【図４】
2005252519.tif 000006
【図５】
2005252519.tif 000007
【図６】
2005252519.tif 000008
【図７】
2005252519.tif 000009